(57)【要約】      （修正有）【課題】乾式目地材の上に水が溜まることを抑制しつつ、洗い場床の上面に凹部及び凸部が形成されている場合でも、洗い場床の上面と乾式目地材との間の隙間を小さくできる、乾式目地材の取付構造及び乾式目地材の提供。【解決手段】水まわりユニットルームに設置され、壁載せ凹部１１を有する洗い場床１０と、壁載せ凹部内に載置される壁パネル２０と、壁載せ凹部と、壁載せ凹部内に載置された壁パネルと、の間の隙間に挿入される乾式目地材３０と、を備え、乾式目地材３０は、壁パネル２０と当接する壁側当接部３２と、洗い場床１０と当接する床側当接部３３と、を有し、床側当接部３３における洗い場床側の端部の側面は、洗い場床１０の側面に当接し、床側当接部３３の端部以外の部分よりも硬さが低い軟質部が形成されており、軟質部が洗い場床１０の側面に当接して圧縮変形した状態で、乾式目地材３０が隙間に挿入される。【選択図】図４
2020033706.tif 000002
【特許請求の範囲】
【請求項１】
水まわりユニットルームにおける乾式目地材の取付構造であって、
水まわりユニットルームに設置され、壁載せ凹部を有する洗い場床と、
前記壁載せ凹部内に載置される壁パネルと、
前記壁載せ凹部と、前記壁載せ凹部内に載置された前記壁パネルと、の間の隙間に挿入される乾式目地材と、
を備え、
前記洗い場床の上面は、複数の凹部と複数の凸部を有することで凹凸形状となっており、
前記乾式目地材は、
前記壁パネルと当接する壁側当接部と、
前記洗い場床と当接する床側当接部と、
を有し、
前記床側当接部における前記洗い場床側の端部の側面は、前記洗い場床の側面に当接し、前記床側当接部の前記端部以外の部分よりも硬さが低い軟質部が形成されており、
前記軟質部が前記洗い場床の側面に当接して圧縮変形した状態で、前記乾式目地材が前記隙間に挿入され、
前記床側当接部における前記洗い場床側の端部の上面は、前記凹部上面と同一の高さに設けられることを特徴とする水まわりユニットルームにおける乾式目地材の取付構造。
【請求項２】
水まわりユニットルームにおける乾式目地材の取付構造であって、
水まわりユニットルームに設置され、壁載せ凹部を有する洗い場床と、
前記壁載せ凹部内に載置される壁パネルと、
前記壁載せ凹部と前記壁載せ凹部内に載置された前記壁パネルとの間の隙間に挿入される乾式目地材と、
を備え、
前記洗い場床の上面は、複数の凹部と複数の凸部を有することで凹凸形状となっており、
前記乾式目地材は、
前記壁パネルと当接する壁側当接部と、
前記洗い場床と当接する床側当接部と、
を有し、
前記床側当接部における前記洗い場床側の端部の側面は、前記洗い場床の側面に当接し、前記床側当接部の前記端部以外の部分よりも硬さが低い軟質部が形成されており、
前記軟質部が前記洗い場床の側面に当接して圧縮変形した状態で、前記乾式目地材が前記隙間に挿入され、
前記床側当接部における前記洗い場床側の端部の上面は、前記凹部上面よりも高い位置に設けられ、
前記軟質部の高さ方向の厚みは、前記床側当接部における前記洗い場床側の前記端部上面から前記凹部上面までの高さ方向の長さよりも、大きいことを特徴とする水まわりユニットルームにおける乾式目地材の取付構造。
【請求項３】
前記乾式目地材の上面は、前記洗い場床方向へ向かって下方傾斜しており、
前記床側当接部における前記洗い場床側の前記端部の上面は、前記凸部上面より高い位置に設けられることを特徴とする請求項２記載の乾式目地材の取付構造。
【請求項４】
前記壁載せ凹部内に設けられ、前記壁載せ凹部の内壁に沿った凹状の壁受け部材をさらに備え、
前記壁パネルは、前記壁受け部材上に載置され、
前記挿入部は、前記壁受け部材のうち前記隙間に位置する部分に挿入されて嵌合され、
前記乾式目地材は、前記壁受け部材上に前記壁パネルが載置されることで、下方に向けて付勢されることを特徴とする請求項１〜３のいずれか１つに記載の乾式目地材の取付構造。
【請求項５】
外周に壁載せ凹部を有し、水まわりユニットルームに設置され、上面が複数の凹部と複数の凸部を有することで凹凸形状となっている洗い場床と、前記壁載せ凹部内に載置される壁パネルと、の間の隙間に挿入される乾式目地材であって、
前記乾式目地材は、
前記壁パネルと当接する壁側当接部と、
前記洗い場床と当接する床側当接部と、
を有し、
前記床側当接部における前記洗い場床側の端部の側面は、前記洗い場床の側面に当接し、前記床側当接部の前記端部以外の部分よりも硬さが低い軟質部が形成されており、
前記軟質部が前記洗い場床の側面に当接して圧縮変形し、且つ前記床側当接部における前記洗い場床側の端部の上面が前記凹部上面と同一の高さに位置するように、前記隙間に挿入されることを特徴とする乾式目地材。
【請求項６】
外周に壁載せ凹部を有し、水まわりユニットルームに設置され、上面が複数の凹部と複数の凸部を有することで凹凸形状となっている洗い場床と、前記壁載せ凹部内に載置される壁パネルと、の間の隙間に挿入される乾式目地材であって、
前記乾式目地材は、
前記壁パネルと当接する壁側当接部と、
前記洗い場床と当接する床側当接部と、
を有し、
前記床側当接部における前記洗い場床側の端部の側面は、前記洗い場床の側面に当接し、前記床側当接部の前記端部以外の部分よりも硬さが低い軟質部が形成されており、
前記軟質部が前記洗い場床の側面に当接して圧縮変形し、前記床側当接部における前記洗い場床側の端部の上面が前記凹部上面よりも高くに位置し、且つ前記床側当接部における前記洗い場床側の前記端部上面から前記凹部上面までの高さ方向の長さが前記軟質部の高さ方向の厚みよりも小さくなるように、前記隙間に挿入されることを特徴とする乾式目地材。
【発明の詳細な説明】
【技術分野】
【０００１】
本発明の態様は、一般的に、乾式目地材の取付構造及び乾式目地材に関する。
【背景技術】
【０００２】
洗い場床と、洗い場床に形成された壁載せ凹部に挿入された壁パネルと、を備えた水まわりユニットルームが知られている。このような水まわりユニットルームにおいて、壁載せ凹部に挿入されている壁パネルと、壁載せ凹部との隙間に、乾式目地材を挿入することで、水密性や意匠性を担保する技術も、知られている（例えば、特許文献１）。この際、乾式目地材全体が該隙間の奥まで押し込まれると、乾式目地材の上に水が溜まりやすくなってしまう。その結果、黒ずみの発生や、悪臭の原因となってしまう恐れがある。
【先行技術文献】
【特許文献】
【０００３】
【特許文献１】特開平１１−３３６２０８号公報
【発明の概要】
【発明が解決しようとする課題】
【０００４】
一方で、洗い場床の上面には、排水性を担保するためや入浴者が洗い場床上で滑ってしまうことを防ぐために、凹部及び凸部が形成されている。乾式目地材の上部を洗い場床側へ延出させ、洗い場床上面と当接させると、延出された乾式目地材を凹部との隙間の奥までしっかりと挿入しないと、凹部底面に溜まった水が壁載せ凹部との隙間へ入り込んでしまう恐れがある。
【０００５】
本発明は、かかる課題の認識に基づいてなされたものであり、乾式目地材の上に水が溜まることを抑制しつつ、洗い場床の上面に凹部及び凸部が形成されている場合でも、洗い場床の上面と乾式目地材との間の隙間を小さくできる、乾式目地材の取付構造及び乾式目地材を提供することを目的とする。
【課題を解決するための手段】
【０００６】
第１の発明は、水まわりユニットルームにおける乾式目地材の取付構造であって、水まわりユニットルームに設置され、壁載せ凹部を有する洗い場床と、前記壁載せ凹部内に載置される壁パネルと、前記壁載せ凹部と、前記壁載せ凹部内に載置された前記壁パネルと、の間の隙間に挿入される乾式目地材と、を備え、前記洗い場床の上面は、複数の凹部と複数の凸部を有することで凹凸形状となっており、前記乾式目地材は、前記壁パネルと当接する壁側当接部と、前記洗い場床と当接する床側当接部と、を有し、前記床側当接部における前記洗い場床側の端部の側面は、前記洗い場床の側面に当接し、前記床側当接部の前記端部以外の部分よりも硬さが低い軟質部が形成されており、前記軟質部が前記洗い場床の側面に当接して圧縮変形した状態で、前記乾式目地材が前記隙間に挿入され、前記床側当接部における前記洗い場床側の端部の上面は、前記凹部上面と同一の高さに設けられることを特徴とする水まわりユニットルームにおける乾式目地材の取付構造である。
【０００７】
この乾式目地材の取付構造によれば、床側延出部の軟質部が洗い場床の側面に当接して圧縮変形することで、水平方向において洗い場床と乾式目地材との間に隙間が生じ難くなる。また、床側当接部の洗い場床側の端部の上面が凹部上面と同一の高さに設けられることで、高さ方向においても、凹部上面と床側延出部との間に隙間が生じることを防止できる。さらに、乾式目地材上面の水は、凹部上面へ流れることが可能であるため、乾式目地材の上に水が溜まることを抑制できる。この結果、乾式目地材付近における黒ずみや悪臭の発生を抑制できる。
【０００８】
第２の発明は、水まわりユニットルームにおける乾式目地材の取付構造であって、水まわりユニットルームに設置され、壁載せ凹部を有する洗い場床と、前記壁載せ凹部内に載置される壁パネルと、前記壁載せ凹部と前記壁載せ凹部内に載置された前記壁パネルとの間の隙間に挿入される乾式目地材と、を備え、前記洗い場床の上面は、複数の凹部と複数の凸部を有することで凹凸形状となっており、前記乾式目地材は、前記壁パネルと当接する壁側当接部と、前記洗い場床と当接する床側当接部と、を有し、前記床側当接部における前記洗い場床側の端部の側面は、前記洗い場床の側面に当接し、前記床側当接部の前記端部以外の部分よりも硬さが低い軟質部が形成されており、前記軟質部が前記洗い場床の側面に当接して圧縮変形した状態で、前記乾式目地材が前記隙間に挿入され、前記床側当接部における前記洗い場床側の端部の上面は、前記凹部上面よりも高い位置に設けられ、前記軟質部の高さ方向の厚みは、前記床側当接部における前記洗い場床側の前記端部上面から前記凹部上面までの高さ方向の長さよりも、大きいことを特徴とする水まわりユニットルームにおける乾式目地材の取付構造である。
【０００９】
この乾式目地材の取付構造によれば、床側延出部の軟質部が洗い場床の側面に当接して圧縮変形することで、水平方向において洗い場床と乾式目地材との間に隙間が生じ難くなる。また、床側当接部の洗い場床側の端部の上面は凹部上面よりも高い位置に設けられ、軟質部の高さ方向の厚みは床側当接部の洗い場床側の端部の上面から凹部上面までの高さ方向の長さよりも大きい。この構造によれば、高さ方向においても凹部上面と床側延出部との間に隙間が生じることを防止できる。さらに、乾式目地材上面の水は、凹部上面へ流れることが可能であるため、乾式目地材の上に水が溜まることを抑制できる。この結果、乾式目地材付近における黒ずみや悪臭の発生を抑制できる。
【００１０】
第３の発明は、第２の発明において、前記乾式目地材の上面は、前記洗い場床方向へ向かって下方傾斜しており、前記床側当接部における前記洗い場床側の前記端部の上面は、前記凸部上面より高い位置に設けられることを特徴とする乾式目地材の取付構造である。
【００１１】
この乾式目地材の取付構造によれば、乾式目地材上の水が洗い場床へ向けて流れ易くなり、乾式目地材上に水が溜まり難くなる。さらに、床側当接部における洗い場床側の端部の上面が凸部上面より高い位置に設けられることで、乾式目地材の上面を流れる水が凸部に引っ掛かって留まることを防止できる。この結果、乾式目地材付近における黒ずみや悪臭の発生をより確実に抑制できる。
【００１２】
第４の発明は、第１〜第３のいずれか１つの発明において、前記壁載せ凹部内に設けられ、前記壁載せ凹部の内壁に沿った凹状の壁受け部材をさらに備え、前記壁パネルは、前記壁受け部材上に載置され、前記挿入部は、前記壁受け部材のうち前記隙間に位置する部分に挿入されて嵌合され、前記乾式目地材は、前記壁受け部材上に前記壁パネルが載置されることで、下方に向けて付勢されることを特徴とする乾式目地材の取付構造である。
【００１３】
この乾式目地材の取付構造によれば、壁パネルの重さにより、乾式目地材が下方に向けて継続的に付勢される。これにより、乾式目地材を取り付けた後も、乾式目地材が上方へ変位することを抑制でき、高さ方向において凹部上面と軟質部との間に隙間が発生することを抑制できる。
【００１４】
第５の発明は、外周に壁載せ凹部を有し、水まわりユニットルームに設置され、上面が複数の凹部と複数の凸部を有することで凹凸形状となっている洗い場床と、前記壁載せ凹部内に載置される壁パネルと、の間の隙間に挿入される乾式目地材であって、前記乾式目地材は、前記壁パネルと当接する壁側当接部と、前記洗い場床と当接する床側当接部と、を有し、前記床側当接部における前記洗い場床側の端部の側面は、前記洗い場床の側面に当接し、前記床側当接部の前記端部以外の部分よりも硬さが低い軟質部が形成されており、前記軟質部が前記洗い場床の側面に当接して圧縮変形し、且つ前記床側当接部における前記洗い場床側の端部の上面は、前記凹部上面と同一の高さに位置するように、前記隙間に挿入されることを特徴とする乾式目地材である。
【００１５】
この乾式目地材によれば、床側延出部の軟質部が洗い場床の側面に当接して圧縮変形するように、洗い場床と壁パネルとの間の隙間に挿入することで、水平方向において洗い場床と乾式目地材との間に隙間が生じ難くなる。また、床側当接部の洗い場床側の端部の上面が凹部上面と同一の高さに設けられることで、高さ方向においても、凹部上面と床側延出部との間に隙間が生じることを防止できる。さらに、乾式目地材上面の水は、凹部上面へ流れることが可能であるため、乾式目地材の上に水が溜まることを抑制できる。この結果、乾式目地材付近における黒ずみや悪臭の発生を抑制できる。
【００１６】
第６の発明は、外周に壁載せ凹部を有し、水まわりユニットルームに設置され、上面が複数の凹部と複数の凸部を有することで凹凸形状となっている洗い場床と、前記壁載せ凹部内に載置される壁パネルと、の間の隙間に挿入される乾式目地材であって、前記乾式目地材は、前記壁パネルと当接する壁側当接部と、前記洗い場床と当接する床側当接部と、を有し、前記床側当接部における前記洗い場床側の端部の側面は、前記洗い場床の側面に当接し、前記床側当接部の前記端部以外の部分よりも硬さが低い軟質部が形成されており、前記軟質部が前記洗い場床の側面に当接して圧縮変形し、前記床側当接部における前記洗い場床側の端部の上面が前記凹部上面よりも高くに位置し、且つ前記床側当接部における前記洗い場床側の前記端部上面から前記凹部上面までの高さ方向の長さが前記軟質部の高さ方向の厚みよりも小さくなるように、前記隙間に挿入されることを特徴とする乾式目地材である。
【００１７】
この乾式目地材によれば、床側延出部の軟質部が洗い場床の側面に当接して圧縮変形するように洗い場床と壁パネルとの間の隙間に挿入することで、水平方向において洗い場床と乾式目地材との間に隙間が生じ難くなる。また、床側当接部における洗い場床側の端部の上面が凹部上面よりも高くに位置し、且つ床側当接部における洗い場床側の端部上面から凹部上面までの高さ方向の長さが軟質部の高さ方向の厚みよりも小さくなるように乾式目地材が設けられることで、高さ方向においても、凹部上面と床側延出部との間に隙間が生じることを防止できる。さらに、乾式目地材上面の水は、凹部上面へ流れることが可能であるため、乾式目地材の上に水が溜まることを抑制できる。この結果、乾式目地材付近における黒ずみや悪臭の発生を抑制できる。
【発明の効果】
【００１８】
本発明の態様によれば、乾式目地材の上に水が溜まることを抑制しつつ、洗い場床の上面に凹部及び凸部が形成されている場合でも、洗い場床の上面と乾式目地材との間の隙間を小さくできる、乾式目地材の取付構造及び乾式目地材が提供される。
【図面の簡単な説明】
【００１９】
【図１】実施形態に係る乾式目地材の取付構造を有する水まわりユニットルームを表す斜視図である。
【図２】実施形態に係る乾式目地材の取付構造の洗い場床を表す分解斜視図である。
【図３】実施形態に係る乾式目地材の取付構造における洗い場床の一部および壁パネルの一部を拡大した斜視断面図である。
【図４】図３の部分Ａを拡大した斜視断面図である。
【図５】実施形態に係る乾式目地材の取付構造の一部を拡大した断面図である。
【図６】実施形態に係る乾式目地材の取付構造の乾式目地材を表す斜視断面図及び断面図である。
【図７】実施形態に係る乾式目地材の取付構造の一部を拡大した断面図である。
【発明を実施するための形態】
【００２０】
以下、本発明の実施形態について図面を参照しつつ説明する。なお、各図面中、同様の構成要素には同一の符号を付して詳細な説明は適宜省略する。
【００２１】
図１は、実施形態に係る乾式目地材の取付構造を有する水まわりユニットルームを表す斜視図である。
図１に表した水まわりユニットルーム２は、乾式目地材の取付構造１を有する。取付構造１は、洗い場床１０及び壁パネル２０を備える。
【００２２】
洗い場床１０は、水まわりユニットルーム２の床面を構成している。洗い場床１０は、周縁部が上側に折り曲げられた浅底の器状（パン状）に形成され、浴室外部に湯水を漏出させない防水性を有する。洗い場床１０は、ボルト部を回転させることで高さ調節可能な構造を有する支持脚１５１を介して浴室設置面Ｓ上に設置されている。
【００２３】
洗い場床１０の外周には、壁載せ凹部１１が設けられている。壁パネル２０は、この壁載せ凹部１１内に載置され、水まわりユニットルームの側面を構成している。壁パネル２０は、例えば、パネル材２１〜２７によって構成されている。図１に表した例では、パネル材２３は、不図示のドア取付枠を含むドアＤＲである。隣接するパネル材同士は、壁面接続部材５０によって連結されている。
【００２４】
図１に表した例では、水まわりユニットルーム２は、浴室である。そのため、水まわりユニットルーム２は、浴槽４０をさらに有する。浴槽４０は、支持脚１５１と同様の機能を有する支持脚４１を介して、浴室設置面Ｓ上に設置されている。
【００２５】
水まわりユニットルーム２の具体的構成は、図１の例に限定されず、適宜変更可能である。例えば、水まわりユニットルーム２は、浴槽４０を有していないシャワールームなどであっても良い。
【００２６】
図２は、実施形態に係る乾式目地材の取付構造の洗い場床を表す分解斜視図である。
図２に表したように、洗い場床１０は、床基材１５及び床本体１６を有する。
【００２７】
床基材１５は、支持脚１５１と、支持フレーム１５２と、受け板１５３と、を有する。一例として、支持フレーム１５２は、水平な第１の方向に延在する４本の第１のフレーム１５２ａと、第１の方向と直交する水平な第２の方向に延在する４本の第２のフレーム１５２ｂと、を有する。支持脚１５１は、支持フレーム１５２の下面の４隅に設けられている。
【００２８】
床基材１５は、浴室等の設置場所の限られた空間の中において、洗い場床１０の上面にかかる荷重を受け、その位置を保持するものである。そのため、床基材１５には、充分な強度が必要とされる。例えば、床基材１５には、熱可塑性発泡樹脂の強度よりも高い強度を有する鋼材が用いられる。
【００２９】
床基材１５は、浴室等の設置面（例えば、建物の床）の上に載置され、支持脚１５１のボルト部の回転により適宜高さが調整される。これにより、洗い場床１０の水平面が確保される。そして、支持脚１５１および支持フレーム１５２は、受け板１５３を下方から支持している。受け板１５３は、例えばねじ等の締結部材により支持フレーム１５２に固定されている。
【００３０】
床本体１６は、床面材１６１と、クッション材１６２と、表面材１６３と、を有する。受け板１５３の上面は、洗い場床１０が備える各部材の垂直方向の基準位置すなわち水平基準面となる。また、受け板１５３は、床面材１６１を下方から支持し、受け板１５３の上に載置される部材から荷重を受ける。そのため、受け板１５３としては、比較的に高強度で剛性を有する平板状の素材が好適である。その一例として、例えば鋼材製のデッキプレートやサンドイッチパネルなどが挙げられる。床基材１５の強度は、後述する熱可塑性発泡樹脂により形成された床面材１６１の強度よりも高い。
【００３１】
床面材１６１は、例えば熱可塑性発泡樹脂により形成されている。熱可塑性発泡樹脂としては、例えば発泡ポリプロピレン、発泡ポリスチレン、発泡ポリエチレン、発泡ポリウレタンなどが挙げられる。床面材１６１の上には、クッション材１６２を介して表面材１６３が設けられている。クッション材１６２の材料としては、例えば発泡ポリウレタン等の軟質素材が用いられている。クッション材１６２の硬さ（柔らかさ）を変えることで、床面の硬さ（柔らかさ）を変更できる。
【００３２】
表面材１６３は、床面材１６１の上面を覆っている。ここで説明する取付構造１の例では、表面材１６３の上面が、洗い場床１０の上面を構成している。表面材１６３の上面は、意匠性や水はけ性を向上させるために、複数の凹部及び複数の凸部が設けられて凹凸形状となっている。
【００３３】
図３は、実施形態に係る乾式目地材の取付構造の一部を拡大した斜視断面図である。
図４は、図３の部分Ａを拡大した斜視断面図である。
図５は、実施形態に係る乾式目地材の取付構造の一部を拡大した断面図である。
図６は、実施形態に係る乾式目地材の取付構造の乾式目地材を表す斜視断面図及び断面図である。
図７は、実施形態に係る乾式目地材の取付構造の一部を拡大した断面図である。
【００３４】
図３及び図４に表したように、実施形態に係る取付構造１は、さらに乾式目地材３０を備える。乾式目地材３０は、壁パネル２０の洗い場床１０側において、洗い場床１０外周の壁載せ凹部１１と、壁載せ凹部１１内に載置された壁パネル２０と、の間の隙間に挿入されている。
【００３５】
例えば、図４及び図５に表したように、壁載せ凹部１１の内側には、壁受け部材１３が設けられる。壁受け部材１３の形状は、壁載せ凹部１１の内壁に沿った凹状である。壁受け部材１３は、例えば、壁パネル２０の洗い場床１０に対する位置を決め易くする。壁パネル２０は、この壁受け部材１３の上に、パッキン１４を介して載置される。パッキン１４は、ゴムなどの弾性を有する材料からなり、壁受け部材１３と壁パネル２０との間の隙間を埋めて水密性を向上させる。
【００３６】
乾式目地材３０は、壁載せ凹部１１と壁パネル２０との間の隙間に、下方に向けて挿入されている。乾式目地材３０は、図５及び図６に表したように、挿入部３１、壁側当接部３２、及び床側延出部３３を有する。
【００３７】
壁載せ部材１３上に壁パネル２０を載置した際に、壁載せ部材１３の一部は、図５に表したように、壁載せ凹部１１と壁パネル２０との間に位置する。挿入部３１は、壁載せ部材１３の当該一部に挿入されて嵌合されている。
【００３８】
壁側当接部３２は、挿入部３１の上端に接続され、壁パネル２０と当接している。床側延出部３３は、挿入部３１の上端に接続されており、洗い場床１０と当接している。具体的には、床側当接部３３における洗い場床側１０の端部Ｅ１の側面が、洗い場床１０の側面に当接している。
【００３９】
端部Ｅ１の側面には、床側当接部３３の当該端部Ｅ１以外の部分よりも硬さが低い軟質部３３１が形成されている。例えば、床側当接部３３は、軟質部３３１と、軟質部３３１に接続された支持部３３２と、を有する。軟質部３３１は、支持部３３２の洗い場床１０側に接続されている。
【００４０】
軟質部３３１の硬さは、支持部３３２の硬さよりも低い。すなわち、軟質部３３１は、支持部３３２よりも変形し易い。また、一般的に、洗い場床１０（表面材１６３）の硬さは、人の重み等による応力が加わった際の洗い場床１０の変形を抑えるために、乾式目地材の硬さよりも高く設計される。換言すると、軟質部３３１の硬さは洗い場床１０の硬さよりも小さく、軟質部３３１は洗い場床１０よりも変形し易い。
【００４１】
軟質部３３１は、洗い場床１０の側面に当接しており、水平方向において洗い場床１０と支持部３３２との間に挟み込まれて圧縮変形している。また、洗い場床１０の上面１２には、図４に表したように、複数の凹部１２１及び複数の凸部１２２が設けられている。
【００４２】
図７は、取付構造１を、壁パネル２０表面に垂直であり且つ凹部１２１を通る面で切断したときの、乾式目地材３０付近の構造を表している。
例えば図７（ａ）に表したように、端部Ｅ１の上面は、凹部１２１の上面１２１ａよりも高い位置に設けられる。そして、軟質部３３１の高さ方向の厚みＴ（図６（ｂ）に示す）は、端部Ｅ１上面から凹部１２１の上面１２１ａまでの高さ方向の長さＬ（図７（ａ）に示す）よりも、大きい。この場合、端部Ｅ１の上面の位置は、凹部１２１の上面１２１ａと、凸部１２２の上面１２２ａと、の間にあっても良いし、凸部１２２の上面１２２ａより高くても良い。
又は、図７（ｂ）に表したように、端部Ｅ１の上面は、凹部１２１の上面１２１ａと同一の高さに設けられる。
【００４３】
また、図５、図６（ａ）、及び図６（ｂ）に表した例では、壁側当接部３２が、軟質部３２１及び支持部３２２を有する。軟質部３２１は、支持部３２２よりも、壁側当接部３２の先端側に設けられている。軟質部３３１の硬さは、支持部３３２の硬さよりも低い。また、一般的に、壁パネル２０の硬さは、応力が加えられた際の壁パネル２０の変形を小さくするため、典型的な乾式目地材の硬さよりも高く設計される。換言すると、軟質部３２１の硬さは、壁パネル２０の硬さよりも低い。
【００４４】
例えば、挿入部３１、支持部３２２、及び支持部３３２の材料としては、ポリプロピレンやポリエチレンなどのポリオレフィン系樹脂、ポリスチレンやＡＢＳ（acrylonitrile butadiene styrene copolymer）などのスチレン系樹脂、塩化ビニル、ポリエチレンテレフタレートなどのポリエステル系樹脂、またはナイロンなどのポリアミド系樹脂、フッ素樹脂、などを用いることができる。
【００４５】
軟質部３２１及び軟質部３３１には、ゲルを用いることができる。ゲルを用いることで、軟質部３２１及び軟質部３３１に、軟性を付与しつつ、適度な耐久性を持たせることができる。ゲルとして、例えば、シリコーンゲル、アクリルゲル、ウレタンゲルなどが挙げられる。例えば、乾式目地材３０は、挿入部３１、支持部３２２、及び支持部３３２の材料と、軟質部３２１及び軟質部３３１の材料と、を二色成型することで、一体に形成される。
【００４６】
実施形態に係る取付構造１によれば、乾式目地材３０が壁載せ凹部１１と壁パネル２０との間の隙間に挿入された際、床側延出部３３の軟質部３３１が洗い場床１０の側面に当接して圧縮変形する。これにより、水平方向において洗い場床１０と乾式目地材３０との間に隙間が生じ難くなる。
さらに、端部Ｅ１の上面は、図７（ａ）に表したように、凹部１２１上面よりも高い位置に設けられる。そして、軟質部３３１の高さ方向の厚みＴは、端部Ｅ１上面から凹部１２１上面までの高さ方向の長さＬよりも、大きい。この構造によれば、高さ方向においても凹部１２１の上面１２１ａと床側延出部３３との間に隙間が生じることを防止できる。また、乾式目地材３０上面の水は、凹部１２１上面へ流れるため、乾式目地材３０の上に水が溜まることを抑制できる。
このように、実施形態に係る取付構造１によれば、洗い場床１０と乾式目地材３０との間に隙間が発生することを抑制でき、且つ乾式目地材３０の上に水が溜まり難くなることで、乾式目地材３０付近における黒ずみや悪臭の発生を抑制できる。
【００４７】
なお、厚みＴは、換言すると、軟質部３３１の高さ方向における寸法である。軟質部３３１の高さ方向における寸法が場所によって異なる場合、当該寸法の最大値を、軟質部３３１の厚みＴとすることができる。
また、長さＬと比較する際の厚みＴには、軟質部３３１が圧縮変形されていない、乾式目地材３０を取り付ける前の状態における軟質部３３１の高さ方向における寸法が用いられる。
【００４８】
又は、端部Ｅ１の上面は、図７（ｂ）に表したように、凹部１２１上面と同一の高さに設けられる。この場合も、高さ方向において凹部１２１と床側延出部３３との間に隙間が生じることを防止できる。また、乾式目地材３０上面の水は、凹部１２１上面へ流れるため、乾式目地材３０の上に水が溜まることを抑制できる。従って、図７（ａ）の構造と同様に、乾式目地材３０付近において黒ずみや悪臭の発生を抑制できる。
【００４９】
なお、端部Ｅ１の上面と凹部１２１の上面１２１ａは、実質的に同一の高さにあれば良い。実質的に同一とは、洗い場床１０や乾式目地材３０の製造上の寸法の誤差、施工による乾式目地材３０の高さ方向の位置のばらつき、などにより、端部Ｅ１の上面と凹部１２１の上面１２１ａが完全に同一では無い場合を含む。端部Ｅ１の上面と凹部１２１の上面１２１ａが完全に同一の高さでは無い場合でも、端部Ｅ１の上面と凹部１２１の上面１２１ａを同じ高さに設けるよう製造又は施工される取付構造及び乾式目地材については、本発明の範疇に含まれる。また、例えば、端部Ｅ１の上面と凹部１２１の上面１２１ａとの高さの違いが、３ｍｍ以内のものも、「同一の高さ」であるものとする。
【００５０】
同様に、実施形態に係る乾式目地材３０を、軟質部３３１が洗い場床１０の側面に当接して圧縮変形し、且つ端部Ｅ１の上面が凹部１２１の上面１２１ａと同一の高さに位置するように隙間に挿入する。
又は、実施形態に係る乾式目地材３０を、軟質部３３１が洗い場床１０の側面に当接して圧縮変形し、端部Ｅ１の上面が上面１２１ａよりも高くに位置し、且つ端部Ｅ１上面から上面１２１ａまでの長さＬが軟質部３３１の厚みＴよりも小さくなるように、隙間に挿入する。
これにより、洗い場床１０と乾式目地材３０との間に隙間が発生することを抑制でき、且つ乾式目地材３０の上に水が溜まり難くなることで、乾式目地材３０付近における黒ずみや悪臭の発生を抑制できる。
【００５１】
なお、洗い場床１０と乾式目地材３０との間に隙間が生じることを防止するために、洗い場床１０（表面材１６３）の端部に凹凸形状が存在しないように表面材１６３を作製する方法も考えられる。しかし、この方法では、表面材１６３を水まわりユニットルームごとに作製する必要があり、表面材１６３の製造コストが増大する。
上記の方法に対して、表面材１６３の構造を有する大きなシート状の部材を作製しておき、この部材の一部を切り出して表面材１６３として用いる方法もある。この方法によれば、それぞれの水まわりユニットルームに対応した表面材１６３の設計や作製が不要となるため、表面材１６３の製造コストを低減できる。
この方法では、切り出された表面材１６３の端部に凹凸形状が存在するが、上述した通り、本実施形態に係る取付構造１又は乾式目地材３０により、洗い場床１０と乾式目地材３０との間に隙間が生じることを抑制できる。
【００５２】
洗い場床１０、及び支持部３３２の硬さについては、例えば、ＪＩＳ  Ｋ  ７２１５で定められた「プラスチックの硬さ試験方法」に準拠するデュロメータを用いて測定できる。また、軟質部３３１の硬さについては、例えば、ＪＩＳ  Ｋ  ６２５３で定められた「加硫ゴム及び熱可塑性ゴムの硬さ試験方法」に準拠するデュロメータを用いて測定できる。これらのデュロメータで測定された各部材の硬さは、例えば以下の通りである。
支持部３３２の硬さは、５０以上７０以下である。洗い場床１０の上面１２における硬さは、７５以上９５以下である。軟質部３３１の硬さは、１以上３０以下である。
各部材の硬さがこれらの範囲内であれば、軟質部３３１を上面１２及び支持部３３２に対して十分に変形させ、洗い場床１０と壁パネル２０との間の隙間の発生を好適に抑制できる。
なお、各部材の硬さを比較する場合は、ＪＩＳ  Ｋ  ７２１５及びＪＩＳ  Ｋ  ６２５３の一方に準拠するデュロメータを用いて各部材の硬さを測定し、それらの測定結果を比較する。この場合、軟質部３３１の硬さ、又は洗い場床１０と支持部３３２の硬さが正確には測定されない可能性がある。しかし、硬さの大小関係については正しい結果を得ることができる。
【００５３】
乾式目地材３０の上面は、洗い場床１０へ向かって下方に傾斜していることが望ましい。この構造によれば、乾式目地材３０の上の水が洗い場床１０へ向けて流れ易くなり、乾式目地材３０の上の水がより溜まり難くなる。
【００５４】
また、乾式目地材３０について、挿入部３１は、図４及び図５に表したように、壁載せ凹部１１と壁パネル２０との間に位置する壁載せ部材１３の一部に挿入されることが望ましい。
壁載せ部材１３上には、壁パネル２０が載置される。すなわち、壁載せ部材１３は、壁パネル２０の重さにより、下方に向けて押される。挿入部３１が壁載せ部材１３に挿入されていると、壁パネル２０の重さにより、乾式目地材３０が下方に向けて継続的に付勢される。これにより、乾式目地材３０を取り付けた後に、乾式目地材３０が上方へ変位することを抑制でき、高さ方向において凹部１２１上面と軟質部３１１との間に隙間が発生することを抑制できる。
【００５５】
壁載せ部材１３及び挿入部３１は、壁載せ部材１３上に壁パネル２０が載置された際に、挿入部３１が壁載せ部材１３とともに下方に向けてより強く安定して引き込まれることが望ましい。例えば、壁載せ部材１３と挿入部３１が接触する部分には、大きな摩擦力が生じるように構成される。
又は、望ましくは、挿入部３１は、図５に表したように、壁載せ部材１３に引っ掛かって係止される係止部３１１を有する。挿入部３１が壁載せ部材１３に嵌合されると、挿入部３１の先端（乾式目地材３０の下端）に設けられた係止部３１１が、壁載せ部材１３に設けられた窪み１３１に引っ掛かる。これにより、乾式目地材３０が壁載せ部材１３に対して上方へ変位することをより確実に抑制できる。また、係止部３１１を用いることで、挿入部３１を壁載せ部材１３に嵌合させるだけで乾式目地材３０を壁載せ部材１３に対して固定でき、乾式目地材３０の取付が容易となる。
【００５６】
軟質部３３１の特性については、軟質部３３１の硬さが支持部３３２の硬さよりも低ければ、適宜変更可能である。
例えば、軟質部３３１は、弾性を有する。乾式目地材３０を取り付けた後、使用者が水まわりユニットルームを使用したり、各部材に温度変化による変形が生じたりすることで、洗い場床１０と乾式目地材３０との位置関係が微小に変化することがある。軟質部３３１が弾性を有する場合、洗い場床１０と乾式目地材３０が互いに離れる方向に変位した場合でも、変位に応じて軟質部３３１の形状が変化する。従って、乾式目地材３０を取り付けた後に、洗い場床１０と軟質部３３１との間に隙間が生じることを抑制できる。
軟質部３３１は、粘性を有していても良い。軟質部３３１が粘性を有していると、軟質部３３１が洗い場床１０の上面１２に当接した際、軟質部３３１が上面１２に引っ付き易くなる。これにより、乾式目地材３０を取り付けた後、洗い場床１０と乾式目地材３０との位置関係が変化した場合でも、洗い場床１０と軟質部３３１との間に隙間が生じることを抑制できる。
【００５７】
また、壁側当接部３２は、図５、図６（ａ）、及び図６（ｂ）に表したように、支持部３２２及び軟質部３２１を有することが望ましい。
乾式目地材３０が壁載せ凹部１１と壁パネル２０との間の隙間に挿入されると、壁側当接部３２は壁パネル２０の表面に当接し、変形する。この結果、軟質部３２１は、水平方向において壁パネル２０と支持部３２２との間に位置する。
壁パネル２０の表面にも、微小な凹凸が存在する場合がある。特に、パネル材同士の連結部分では、比較的大きな窪みが生じやすい。壁側当接部３２にも軟質部３２１が設けられることで、壁パネル２０の表面の凹凸に沿って軟質部３２１が変形し、乾式目地材３０と壁パネル２０との間に隙間が生じることを抑制できる。
【００５８】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、取付構造及び水まわりユニットルームなどが備える各要素の形状、寸法、材質、配置、設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００５９】
１ 取付構造、  ２ 水まわりユニットルーム、  １０ 洗い場床、  １１ 壁載せ凹部、  １２ 上面、  １３ 壁受け部材、  １４ パッキン、  １５ 床基材、  １６ 床本体、  ２０ 壁パネル、  ２１〜２７ パネル材、  ３０ 乾式目地材、  ３１ 挿入部、  ３２ 壁側当接部、  ３３ 床側延出部、  ４０ 浴槽、  ４１ 支持脚、  ５０ 壁面接続部材、  １２１ 凹部、  １２１ａ 上面、  １２２ 凸部、  １２２ａ 上面、  １３１ 窪み、  １５１ 支持脚、  １５２ 支持フレーム、  １５２ａ 第１のフレーム、  １５２ｂ 第２のフレーム、  １５３ 受け板、  １６１ 床面材、  １６２ クッション材、  １６３ 表面材、  ３１１ 係止部、  ３２１ 軟質部、  ３２２ 支持部、  ３３１ 軟質部、  ３３２ 支持部、  ＤＲ ドア、  Ｅ１ 端部、  Ｌ 長さ、  Ｓ 浴室設置面、  Ｔ 厚み
【図１】
2020033706.tif 000003
【図２】
2020033706.tif 000004
【図３】
2020033706.tif 000005
【図４】
2020033706.tif 000006
【図５】
2020033706.tif 000007
【図６】
2020033706.tif 000008
【図７】
2020033706.tif 000009